(57)【要約】【課題】楽な姿勢で靴を脱ぎ履きできる昇降口を提供する。【解決手段】昇降口１０はフロア１２０よりも高い位置で腰を支持する第１支持面２０Ａを有する腰掛２０と、腰掛２０の正面に面するように腰掛２０から離れた位置に設置され、腰掛２０に腰を下ろしたユーザの足を載せることができる第２支持面３０Ａを有する足置台３０と、腰掛２０に腰を下ろしたユーザの足を第２支持面３０Ａよりも低い位置で支持できるように腰掛２０と足置台３０との間に設けられる第３支持面８０とを備える。腰掛２０の形状は横長形状であり、腰掛２０は腰掛２０の長手方向がフロア１２０の昇降部１２１の幅方向と交差するようにフロア１２０の昇降部１２１に隣接して設置される。【選択図】図１
2019124102.tif 000002
【特許請求の範囲】
【請求項１】
フロアよりも高い位置で腰を支持する第１支持面を有する腰掛と、
前記腰掛の正面に面するように前記腰掛から離れた位置に設置され、前記腰掛に腰を下ろしたユーザの足を載せることができる第２支持面を有する足置台と、
前記腰掛に腰を下ろしたユーザの足を前記第２支持面よりも低い位置で支持できるように前記腰掛と前記足置台との間に設けられる第３支持面とを備え、
前記腰掛の形状は横長形状であり、
前記腰掛は前記腰掛の長手方向が前記フロアの昇降部の幅方向と交差するように前記フロアの昇降部に隣接して設置される
昇降口。
【請求項２】
前記足置台は前記フロアの昇降部から離れた位置に設置され、
前記足置台と前記フロアの昇降部との間に設けられる式板をさらに備える
請求項１に記載の昇降口。
【請求項３】
前記式板は前記腰掛に腰を下ろしたユーザの前記昇降部に近い側の足を載せることができるように前記足置台と前記腰掛との間にも設けられる
請求項２に記載の昇降口。
【請求項４】
前記足置台に対して前記フロア側とは反対側に設置される第１手摺、および、前記足置台に対して前記フロア側に設置される第２手摺の少なくとも一方をさらに備える
請求項１〜３のいずれか一項に記載の昇降口。
【発明の詳細な説明】
【技術分野】
【０００１】
本発明は靴の脱ぎ履きが行われる昇降口に関する。
【背景技術】
【０００２】
靴を脱ぎ履きする人の負担が軽減されるように設計された昇降口が知られている。例えば特許文献１には、ユーザが腰掛ける腰掛けベンチ(１２)が設置された玄関土間(１)が開示されている。腰掛けベンチ(１２)は靴の脱ぎ履きに利用される。腰掛けベンチ(１２)が土間縁部(２２)よりも高い位置に設置されているため、ユーザは腰掛けベンチ(１２)から楽に立ち上がることができる。
【先行技術文献】
【特許文献】
【０００３】
【特許文献１】特開２００２−３８７３４号公報
【発明の概要】
【発明が解決しようとする課題】
【０００４】
上記昇降口によれば、ユーザは靴を脱ぎ履きするため、腰掛けベンチ(１２)に腰掛けて前屈みの姿勢を取る必要がある。ユーザによってはこの姿勢が負担となることがある。より楽な姿勢で靴を脱ぎ履きできることが好ましい。
【課題を解決するための手段】
【０００５】
(１)本発明に関する昇降口はフロアよりも高い位置で腰を支持する第１支持面を有する腰掛と、前記腰掛の正面に面するように前記腰掛から離れた位置に設置され、前記腰掛に腰を下ろしたユーザの足を載せることができる第２支持面を有する足置台と、前記腰掛に腰を下ろしたユーザの足を前記第２支持面よりも低い位置で支持できるように前記腰掛と前記足置台との間に設けられる第３支持面とを備え、前記腰掛の形状は横長形状であり、前記腰掛は前記腰掛の長手方向が前記フロアの昇降部の幅方向と交差するように前記フロアの昇降部に隣接して設置される。
上記昇降口を利用してユーザが靴を脱ぎ履きする場合、ユーザの腰が第１支持面に載せられ、一方の足が第２支持面に載せられ、かつ、他方の足が第３支持面に載せられた準備状態が形成される。準備状態においては、ユーザの一方の足がユーザの腰の高さに近い状態が維持されるため、ユーザは大きな前屈みの姿勢を形成することなく一方の足に触れることができる。このため、上記昇降口によれば、ユーザがより楽な姿勢で靴を脱ぎ履きできる。
【０００６】
(２)好ましい例では(１)に記載の昇降口において、前記足置台は前記フロアの昇降部から離れた位置に設置され、前記足置台と前記フロアの昇降部との間に設けられる式板をさらに備える。
このため、足置台と昇降部との間のスペースに足を置くことができる。また、靴を脱ぎ終わったユーザは腰掛から立ち上がり、式板を経由してフロアに移動できる。靴を履こうとするユーザはフロアから式板を経由して腰掛に腰を下ろすことができる。このため、靴の脱ぎ履きのときにユーザの足が汚れにくい。
【０００７】
(３)好ましい例では(２)に記載の昇降口において、前記式板は前記腰掛に腰を下ろしたユーザの前記昇降部に近い側の足を載せることができるように前記足置台と前記腰掛との間にも設けられる。
昇降部に近い側の足を式板に載せた状態で昇降部に遠い側の足を第２支持面に載せることができるため、ユーザが一層楽な姿勢で靴を脱ぎ履きできる。
【０００８】
(４)好ましい例では(１)〜(３)のいずれか一項に記載の昇降口において、前記足置台に対して前記フロア側とは反対側に設置される第１手摺、および、前記足置台に対して前記フロア側に設置される第２手摺の少なくとも一方をさらに備える。
靴を脱ぐためにユーザが腰掛に腰を下ろす動作を実施するとき、および、靴を履き終わったユーザが腰掛から立ち上がる動作を実施するときに第１手摺を掴むことができるため、これらの動作の負担が低減される。靴を脱ぎ終わったユーザが腰掛から立ち上がってフロアに移動する動作を実施するとき、および、ユーザが靴を履くためにフロアから腰掛に移動する動作を実施するときに第２手摺りを掴むことができるため、これらの動作の負担が低減される。
【発明の効果】
【０００９】
本発明に関する昇降口によれば、より楽な姿勢で靴を脱ぎ履きできる。
【図面の簡単な説明】
【００１０】
【図１】実施形態の昇降口が設けられた玄関の斜視図。
【図２】図１の昇降口の平面図。
【図３】図１の昇降口の側面図。
【図４】ユーザが第１手摺を掴んでいる状態の昇降口の平面図。
【図５】ユーザが腰掛に腰を下ろす途中の昇降口の平面図。
【図６】ユーザが右足の靴を脱いでいる最中の昇降口の平面図。
【図７】ユーザが右足の靴を脱ぎ終わった状態の昇降口の平面図。
【図８】ユーザが左足の靴を脱いでいる最中の昇降口の平面図。
【図９】ユーザが両足を式板に載せている状態の昇降口の平面図。
【図１０】ユーザが腰掛から立ち上がる途中の昇降口の平面図。
【図１１】ユーザが式板からフロアに移動している途中の昇降口の平面図。
【発明を実施するための形態】
【００１１】
(実施形態)
図１を参照して、昇降口１０について説明する。昇降口１０は靴を脱ぎ履きするユーザの負担が軽減されるように設計される。昇降口１０が設けられる場所は任意に選択可能である。図１等に示される第１例では、昇降口１０は建築物１００の玄関１１０に設けられる。建築物１００の一例は個別住宅または集合住宅である。第１例の場合、ユーザが玄関１１０とフロア１２０の昇降部１２１とを往来するときの靴の脱ぎ履きにおいて昇降口１０が利用される。昇降部１２１は例えば上がり框である。昇降部１２１はバリアフリーの観点から高さＬＡ(図３参照)が低くなるように設計される。高さＬＡは玄関１１０の土間床５０とフロア１２０の床面１２０Ａとの距離である。一例では、高さＬＡは９０ｍｍである。第２例では、昇降口１０は建築物１００に併設される庭に設けられる。第２例の場合、ユーザが庭とフロア１２０とを往来するときの靴の脱ぎ履きにおいて昇降口１０が利用される。第３例では、昇降口１０は建築物１００に設けられるベランダ、バルコニー、または、テラスに設けられる。第３例の場合、ユーザがベランダ、バルコニー、または、テラスとフロア１２０とを往来するときの靴の脱ぎ履きにおいて昇降口１０が利用される。
【００１２】
昇降口１０を構成する主な要素は腰掛２０、足置台３０、式板４０、土間床５０、第１手摺６０、および、第２手摺７０である。腰掛２０は靴を脱ぎ履きするユーザが腰を下ろすことができるように玄関１１０に設置される。一例では、腰掛２０は横長形状のベンチである。このため、ユーザが腰掛２０に腰を下ろす動作を腰掛２０に手を突いた状態で行なうことができる。腰掛２０は腰掛２０の長手方向がフロア１２０の昇降部１２１の幅方向と交差するようにフロア１２０の昇降部１２１に隣接して設置される。フロア１２０と昇降部１２１とが近いため、ユーザが靴の脱ぎ履きのときにフロア１２０と腰掛２０との往来を容易に行なうことができる。腰掛２０の長手方向におけるフロア１２０側の端部２１はフロア１２０上に位置する。端部２１には、例えば、ユーザが脱いだ靴を置くことができる。腰掛２０はフロア１２０の床面１２０Ａよりも高い位置でユーザの腰を支持する第１支持面２０Ａを有する。このため、高さＬＡが比較的低く設計されている場合であっても、ユーザは楽な姿勢で靴を脱ぎ履きできる。ユーザは靴の脱ぎ履きにおいて、足置台３０に対して正面を向くように腰掛２０に腰を下ろし、一方の足を足置台３０に載せた状態(以下「準備状態」)を形成する。第１支持面２０Ａと土間床５０との距離(以下「腰掛高さＬＢ」、図３参照)は準備状態におけるユーザの姿勢が、膝が適度に曲がった状態で足を足置台３０に置ける楽な姿勢となるように決められる。腰掛高さＬＢの最大値の一例は４９０ｍｍである。腰掛高さＬＢの最小値の一例は３９０ｍｍである。腰掛高さＬＢの好ましい一例は４４０ｍｍである。
【００１３】
玄関１１０における腰掛２０の設置態様は任意に選択できる。図１等に示される第１例では、腰掛２０は玄関１１０を構成する壁１００Ａに一部が埋め込まれ状態で壁１００Ａと接合される。第２例では、腰掛２０は土間床５０に支持される。第２例の場合、腰掛２０に土間床５０に支持される脚(図示略)が設けられる。脚は土間床５０に載せられる、または、下端部が土間床５０に埋め込まれた状態で土間床５０と接合される。第３例では、腰掛２０は建築物１００の天井(図示略)または梁(図示略)から吊るされる。
【００１４】
足置台３０は腰掛２０の正面に面するように腰掛２０から離れた位置に設置される。腰掛２０の平面視における長手方向と直交する方向において足置台３０を投影した場合の足置台３０の正面３０Ｂと腰掛２０の端面２０Ｂとの距離ＬＣ(図２および図３参照)は準備状態におけるユーザの姿勢が、膝が適度に曲がった状態で足を足置台３０に置ける楽な姿勢となるように決められる。距離ＬＣの最大値の一例は４００ｍｍである。距離ＬＣの最小値の一例は２５０ｍｍである。距離ＬＣの好ましい一例は３００ｍｍである。玄関１１０における足置台３０の設置態様は任意に選択できる。第１例では、足置台３０は固定手段により土間床５０に接合される。固定手段の一例はボルト、接着剤、または、足置台３０および土間床５０に設けられる凹凸である。第１例の場合、土間床５０に対する足置台３０の位置が固定される。第２例では、足置台３０は土間床５０に対して移動できるように、土間床５０に載せられる。
【００１５】
足置台３０は腰掛２０に腰を下ろしたユーザの足を載せることができる第２支持面３０Ａを有する。第２支持面３０Ａは腰掛２０側に向けて下方に傾斜する。第２支持面３０Ａにユーザの足が載せられた場合、準備状態において、足の甲がユーザ側を向くため、ユーザがより楽な姿勢で靴を脱ぎ履きできる。土間床５０に対する第２支持面３０Ａの傾斜角度の一例は１１°である。
【００１６】
足置台３０の高さ方向において第２支持面３０Ａのうちの最も低い部分の位置は土間床５０の位置よりも高い。このため、準備状態において、ユーザの足の位置がユーザの腰の高さに一層近い状態が維持される。足置台３０の最大の高さＬＤは準備状態におけるユーザの姿勢が、膝が適度に曲がった状態で足を足置台３０に置ける楽な姿勢となるように決められる。高さＬＤの最大値の一例は３５０ｍｍである。高さＬＤの最小値の一例は２００ｍｍである。高さＬＤの好ましい一例は２８０ｍｍである。足置台３０はフロア１２０の昇降部１２１から離れた位置に設置される。足置台３０のフロア１２０側の側面３０Ｄと昇降部１２１の端面１２１Ａとの距離ＬＥ(図２参照)はユーザが靴の脱ぎ履きにおいて、足置台３０と昇降部１２１との間に少なくとも片足を置くことができるように決められる。より好ましくは、距離ＬＥはユーザが靴の脱ぎ履きにおいて、足置台３０と昇降部１２１との間に両足を置くことができるように決められる。距離ＬＥの最大値の一例は３００ｍｍである。距離ＬＥの最小値の一例は２００ｍｍである。距離ＬＥの好ましい一例は２６０ｍｍである。
【００１７】
式板４０はユーザが土間床５０とフロア１２０とを往来するときに土間床５０とフロア１２０との経由に利用される。式板４０は足置台３０とフロア１２０の昇降部１２１との間に設けられる。靴を脱ぎ終わったユーザは腰掛２０から立ち上がり、式板４０を経由してフロア１２０に移動できる。靴を履こうとするユーザはフロア１２０から式板４０を経由して腰掛２０に腰を下ろすことができる。このため、靴の脱ぎ履きのときにユーザの足が汚れにくい。式板４０は腰掛２０に腰を下ろしたユーザの昇降部１２１に近い側の足を載せることができるように足置台３０と腰掛２０との間にも設けられる。一例では、式板４０は足置台３０と腰掛２０との間において、足置台３０の幅方向の中央よりも昇降部１２１側に設けられる。ユーザは昇降部１２１に近い側の足を式板４０に載せた状態で昇降部１２１に遠い側の足を第２支持面３０Ａに載せることができるため、靴の脱ぎ履きを一層楽に行なうことができる。式板４０は長方形の１つの角が切り欠かれた形状であり、一方の長辺４０Ｂが昇降部１２１と接触するように配置される。式板４０のうちの角が切り欠かれた切欠部４０Ｃには、足置台３０が設けられる。式板４０の上面４０Ａの位置はフロア１２０の床面１２０Ａよりも低い。式板４０の上面４０Ａは靴の脱ぎ履きのときにユーザの足を第２支持面３０Ａよりも低い位置で支持できるように腰掛２０と足置台３０との間に設けられる第３支持面８０を構成する。玄関１１０における式板４０の設置態様は任意に選択できる。第１例では、式板４０は固定手段により土間床５０に接合される。固定手段の一例はボルト、接着剤、または、式板４０および土間床５０に設けられる凹凸である。第１例の場合、土間床５０に対する式板４０の位置が固定される。第２例では、式板４０は土間床５０に対して移動できるように、土間床５０に載せられる。
【００１８】
土間床５０は腰掛２０と足置台３０との間に設けられる上面５０Ａを備える。上面５０Ａは靴の脱ぎ履きのときにユーザの足を第２支持面３０Ａよりも低い位置で支持できるように腰掛２０と足置台３０との間に設けられる第３支持面８０を構成する。
【００１９】
第１手摺６０および第２手摺７０はユーザが腰掛２０に腰を下ろす動作、および、腰掛２０に腰を下ろしているユーザが立ち上がる動作を行うときに掴むことができるように玄関１１０に設置される。このため、これらの動作の負担が低減される。一例では、第１手摺６０は足置台３０のフロア１２０側とは反対の側面３０Ｃの隣に設けられる。第２手摺７０は足置台３０に対してフロア１２０側に設置される。一例では、第２手摺７０は昇降部１２１の端面１２１Ａの隣りにおいて、式板４０を貫通するように設けられる。各手摺６０、７０の形状は任意に選択できる。一例では、各手摺６０、７０は細長い棒である。
【００２０】
玄関１１０における各手摺６０、７０の設置態様は任意に選択できる。第１例では、各手摺６０、７０の先端部(図示略)は玄関１１０の天井(図示略)または梁(図示略)と接合され、基端部６０Ａ、７０Ａは土間床５０と接合される。第２例では、各手摺６０、７０の先端部は建築物１００を含むいずれの物体とも接合されず、基端部６０Ａ、７０Ａは土間床５０と接合される。第３例では、各手摺６０、７０の先端部は玄関１１０の天井または梁と接合され、基端部６０Ａ、７０Ａは建築物１００を含むいずれの物体とも接合されない。
【００２１】
図２、図４〜図１１を参照して、昇降口１０の使用方法の一例について説明する。
靴２００を履いているユーザ３００が靴２００を脱ぐ場合、図４に示されるように、ユーザ３００は右手３１０または左手３２０で第１手摺６０を掴み、図５に示されるように腰掛２０に腰を下ろす。次に、ユーザ３００は準備状態(図２参照)が形成されるように腰掛２０上で身体を回転させる。次に、図６に示されるように、ユーザ３００は靴２００を履いている右足３３０を足置台３０の第２支持面３０Ａに載せ、図２の二点鎖線で示されるように、やや前屈みの姿勢を形成し、右足３３０の靴２００を脱ぐ。右足３３０の靴２００を脱いでいるとき、左足３４０は土間床５０の上面５０Ａに載せた状態を維持する。次に、図７に示されるように、ユーザ３００は靴２００を脱いだ右足３３０を式板４０の上面４０Ａに載せる。脱いだ右足３３０の靴２００は足置台３０の第２支持面３０Ａに載せられる。次に、図８に示されるように、ユーザ３００は靴２００を履いている左足３４０を足置台３０の第２支持面３０Ａに載せ、右足３３０の靴２００を脱ぐ場合と同様にやや前屈みの姿勢を形成し、左足３４０の靴２００を脱ぐ。次に、図９に示されるように、ユーザ３００は靴２００を脱いだ左足３４０を式板４０の上面４０Ａに載せる。脱いだ両足の靴２００は例えば、腰掛２０の端部２１に揃えて置かれる。次に、図１０に示されるように、ユーザ３００は右手３１０または左手３２０で第２手摺７０を掴み、腰掛２０から立ち上がる。図１１に示されるように、ユーザ３００は第２手摺７０を掴んだ状態でフロア１２０に対して正面を向き、昇降部１２１を跨いでフロア１２０に移動する。
【００２２】
フロア１２０に居るユーザ３００が靴２００を履く場合、ユーザ３００は右手３１０または左手３２０で第２手摺７０を掴んだ状態で昇降部１２１を跨ぎ、式板４０を経由して腰掛２０に腰を下ろし準備状態を形成する。次に、ユーザ３００は左足３４０を足置台３０の第２支持面３０Ａに載せる。このとき、右足３３０は式板４０の上面４０Ａに載せた状態を維持する。ユーザ３００は左足３４０に靴２００を履き、靴２００を履いた左足３４０を土間床５０の上面５０Ａに載せる。次に、ユーザ３００は右足３３０を足置台３０の第２支持面３０Ａに載せ、右足３３０に靴２００を履く。次に、ユーザ３００は靴２００を履いた右足３３０を土間床５０の上面５０Ａに載せる。次に、ユーザ３００は右手３１０または左手３２０で第１手摺６０を掴み、腰掛２０から立ち上がり、土間床５０を移動する。
【００２３】
昇降口１０の作用および効果について説明する。昇降口１０を利用してユーザ３００が靴２００を脱ぎ履きする場合、準備状態が形成される。準備状態においては、ユーザ３００の一方の足がユーザ３００の腰の高さに近い状態が維持されるため、ユーザ３００は大きな前屈みの姿勢を形成することなく足置台３０に載せられている右足３３０または左足３４０に触れることができる。このため、昇降口１０によれば、ユーザ３００がより楽な姿勢で靴２００を脱ぎ履きできる。
【００２４】
なお、上記実施形態は本発明に関する昇降口が取り得る形態の例示であり、その形態を制限することを意図していない。本発明に関する昇降口は上記実施形態に例示された形態とは異なる形態を取り得る。その一例は、実施形態の構成の一部を置換、変更、もしくは、省略した形態、または、実施形態に新たな構成を付加した形態である。
【符号の説明】
【００２５】
１０  ：昇降口
２０  ：腰掛
２０Ａ：第１支持面
３０  ：足置台
３０Ａ：第２支持面
４０  ：式板
５０  ：土間床
６０  ：第１手摺
７０  ：第２手摺
８０  ：第３支持面
１２０：フロア
１２１：昇降部
【図１】
2019124102.tif 000003
【図２】
2019124102.tif 000004
【図３】
2019124102.tif 000005
【図４】
2019124102.tif 000006
【図５】
2019124102.tif 000007
【図６】
2019124102.tif 000008
【図７】
2019124102.tif 000009
【図８】
2019124102.tif 000010
【図９】
2019124102.tif 000011
【図１０】
2019124102.tif 000012
【図１１】
2019124102.tif 000013